(57)【要約】携帯電話通信ネットワークの中継アンテナとなる少なくとも二つのパネル・アンテナのための支えであって、該支えは、マスト（１）と、該マスト（１）にその二つのアンテナを確実に固定するためのいくつかの手段を備えており、それらの手段は、それらのアンテナの傾斜と方位の方向づけの調節を可能にするのに適したものであり、その特徴は、これらの固定手段が、少なくとも一つのアンテナ（２）のために、マスト（１）の軸に対して偏心し、その軸の周りをアンテナ（２）の軸旋回により、そのアンテナの方位の方向付けの修正を可能にする旋回軸（３１）を規定する手段（２１）があることを特徴とする支え。
2004512719.tif 000002
【特許請求の範囲】
【請求項１】
携帯電話通信ネットワークの中継アンテナを構成する少なくとも二つのパネル・アンテナのための支えであって、その支えは、マスト（１）のような固定部材と、これら二つのアンテナを確実に固定するためのいくつかの手段をその固定部材に備えており、それらの手段は、それらのアンテナの傾斜と方位の方向づけを調節を可能にするのに適したものであり、その特徴は、前記固定部材（１）に支えられ、そして該固定部材に隣合って配置された二つのアンテナ（２）のために、これら二つのアンテナ（２）のそれぞれが、二本の旋回軸（３１）のそれぞれの周りを軸旋回できるようにする固定手段を備えており、該固定手段は、アンテナ（２）を、軸旋回することにより、二つのアンテナが互いに近くにあり、かつほぼ同一の方位で方向づけられる配置から、二つのアンテナが互いにほぼ均等に隔てられており、かつ異なる方位で方向づけられる配置への移行を可能にするのに適している支え。
【請求項２】
固定手段は、軸（３１）の周りにアンテナを軸旋回させるのに加え、該アンテナに水平軸（２４）の周りにアンテナの上下／傾斜運動を可能にし、それにより、傾斜の方向づけの調節をするようにするいくつかの手段（２２、２５、２６、２７）を備える、ことを特徴とする請求項１に記載の支え。
【請求項３】
偏心旋回軸（３１）は垂直軸であることを特徴とする、請求項１または２のいずれかに記載の支え。
【請求項４】
固定部材（１）に締めつけによって取り付けられ、そして少なくとも二つの足（２１）を備えた支えを一つ備えており、該二つの足は、互いに上下に重なって、マスト（１）の軸に対してほぼ垂直に延び、かつアンテナの、偏心旋回軸用の複数の支えを規定していることを特徴とする、請求項１から３のいずれか一つに記載の支え。
【請求項５】
支えが、このような足（２１）を複数対備えることを特徴とする、前記請求項４の支え。
【請求項６】
携帯電話通信ネットワークの中継アンテナとなる少なくとも一つのパネル・アンテナ用の支えであり、該支えが固定部材（１）と、前記部材（１）にこのアンテナの固定を確実にする手段を備え、それらの手段は、前記固定部材（１）に固定され、そこで該アンテナが、上下／傾斜運動の水平軸の周りを軸旋回する形で連結されている第一の結合手段と、その水平軸の周りでアンテナが上下／傾斜運動を確実に行えるようにユーザーが調節できる第二の結合手段とを備え、その特徴は、その第二の結合手段は、少なくとも一本のアーム（８）を備え、該アームは両端のそれぞれにおいて、一方では固定部材（１）に、または該固定部材に固定された手段に、他方ではアンテナまたは該アンテナと前記アームとの間に介在する手段に、軸旋回する形で連結されていて、前記アーム（８）の旋回軸（１０、１１）は、該アンテナの上下／傾斜運動の軸に対して平行であり、マスト（１）またはアンテナの別々の高さでの、これらの軸のいずれかの調節を可能にする手段を備えていることを特徴とする、支え。
【請求項７】
これら手段は、中間部材（１３）を備え、該部材は前記軸がスライドすることのできる少なくとも一つのスロット（１２）を備えることを特徴とする、請求項８に記載の支え。
【請求項８】
前記中間部材（１３）は、前記スロット（１２）に平行に延びる調節ネジ（１４）を備え、そして該調節ネジは、該スロット内を移動するに適した軸を通して設けられた相補的なネジ切り、または該スロット上に固定された部品と、並びに、前記中間部材に固定された相補的なネジ切りとも、協働することを特徴とする請求項７に記載の支え。
【請求項９】
中間部材（１３）はアンテナ、または該アンテナを支える支えに取り付けられた部品であることを特徴とする請求項７または８に記載の支え。
【請求項１０】
前記部品（１３）は、アンテナを有する支えを構成する補完的形状の部品（９）に収容される断面がＵ字型の部品であることを特徴とする請求項９に記載の支え。
【請求項１１】
固定部材（１）に締めつけによって固定された支え（４）を備え、この固定部材はマスト（１）であり、その上に、アンテナの上下／傾斜運動を行う軸を規定する手段と、一本または複数本の結合アームの旋回軸を規定する手段とが連結されていることを特徴とする、請求項６から１０のいずれか一つに記載の支え。
【請求項１２】
前記支え（４）は鍔であり、該鍔は少なくとも一本の固定アーム（７）によって延長し、その端部に、前記アンテナまたは該アンテナを支える支えが、水平軸の周りで上下／傾斜運動を行う形で連結されていることを特徴とする、請求項１１に記載の支え。
【請求項１３】
前記アームは、マスト（１）の軸に直角であることを特徴とする、請求項１２に記載の支え。
【請求項１４】
携帯電話通信ネットワークの中継アンテナとなる少なくとも一つのパネル・アンテナ用の支えであり、マスト（１）と、そのマスト（１）にこのアンテナの固定を確実にする手段とを備え、これらの固定手段には、上にアンテナを取り付けられた維持する支えを備え、その特徴は、この維持支えは、少なくとも一つの緊定部材（９）と、該アンテナとその緊定部材との間に介在するアンテナ用の金属製反射器とを形成する部材（１８）を備えていることを特徴とする支え。
【請求項１５】
緊定部材（９）は断面がＵ字型の小梁であることを特徴とする、請求項１４に記載の支え。
【請求項１６】
その方向づけの調節を可能にする固定手段による、マスト（１）のような固定部材に固定されたパネル・タイプの、アンテナ傾斜の調節の工具であり、その特徴は、
・剛性の支え３４）と、
・前記支えの前記固定部材（１）への固定を可能にするに適した装置（３３）と、
・前記支えに取り付けられた、二本のアーム（３５、３７）が連結されたコンパスと
を備えていることを特徴とする工具。
【請求項１７】
固定手段は、締めつけ手段（３３）を有することを特徴とする、請求項１６に記載の工具。
【請求項１８】
固定手段は、磁石付きの手段を備えていることを特徴とする、請求項１６に記載の工具。
【請求項１９】
コンパスを構成する手段を、支えに対して変更するのに適したレベル設定手段（３６）を備えていることを特徴とする、請求項１６から１８のいずれか一つに記載の工具。
【発明の詳細な説明】
【０００１】
全般的な技術分野
本発明は、携帯電話無線通信ネットワークの一つまたは複数の中継アンテナをマストに固定することに関するものである。
【０００２】
本発明はまた、アンテナが固定されたマストにおいて、そのようなアンテナの方向づけを調節するための装置にも関するものである。
【０００３】
知られているように、携帯電話通信ネットワークの中継アンテナは、例えば、都市環境ではビルのテラスのような、高いところに据えつけられたマストに取り付けられるパネル・アンテナである。
【０００４】
本発明の一般的な目的は、そのようなアンテナの固定や、方向づけの調節の改良を提案することである。
【０００５】
発明の紹介
本発明が提案する幾つかの装置は、個別に、または、組み合わせて用いることができる。
【０００６】
１）特に、第一に挙げられる点として、本発明で提案される固定装置により、複数のパネル・アンテナを同一のマストに固定することができるが、それは、各アンテナの傾斜と方位の方向付けの個別の調節を可能にしながらである。
【０００７】
特に、この固定装置により、この装置によって同一のマストに並置し、かつ固定した二つのパネル・アンテナの方向づけを、希望する配置のタイプに応じて、以下の目的のために調節できる。
・二つの異なった方位でこれら二つのアンテナを調節する（その際、二つのアンテナは例えば、同一のネットワークで用いることができる）
・これら二つのアンテナを、二つがほぼ同一平面上となるように調節することで、二つの異なったネットワークに対して同一の方位の方向づけで使用可能となるようにする（例えば、一つはＤＣＳ１８００、もう一つはＵＭＴＳネットワークであるが、それでもそれぞれの傾斜の調節については、二つのアンテナは独立している）。
【０００８】
その効果のために提案された解決策は、少なくとも二つのパネル・アンテナのための一つの支えであり、該アンテナは携帯電話通信ネットワークの中継アンテナとなっていて、一本のマストのような固定部材と、該固定部材に二つのアンテナの固定を確実にする手段とを備えており、この手段はアンテナの傾斜と方位の方向づけの調節ができるようにするのに適し、この支えは、前記固定部材で取り付けられ、該部材に互いに隣合うように配置された二つのアンテナのための固定手段を備え、該固定手段は、これらの二つのアンテナのいずれもが二本の旋回軸の周りを個別に軸旋回できるようにし、これらの固定手段は、アンテナが軸旋回することによって、二つのアンテナが互いに近くにあり、かつほぼ同一の方位に方向づけられる配置から、二つのアンテナが互いにほぼ隔てられ、かつ別々の方位に方向づけられる配置へと、移行できるようにするのに適している。
【０００９】
特に、ある好ましい実施態様によると、固定手段は、一つのアンテナが一つの軸の周りを軸旋回するのに加え、アンテナが一つの水平軸の周りを上下／傾斜運動できるようにし、それにより、傾斜の方法づけの調節もする手段を備えている。
【００１０】
２）また、本発明は特に有利な調節システム、特に簡便な組み立てシステムをも提案しており、それにより、レベルの調節も、方位の調節も、立ち入り作業や保守作業が行えるような人間の背の高さの大きな空間をマストの周りに取っておく必要もなく、行うことができる。
【００１１】
そのために、本発明は、特に少なくとも一つのパネル・アンテナのための支えを提案しており、該アンテナは、固定部材が一つと、前記部材にこのアンテナを確実に固定する手段とを備えた、携帯電話通信ネットワークの中継アンテナを構成し、これら手段は、固定部材に固定され、その上でアンテナが上下／傾斜運動の水平軸の周りに軸旋回する形で連結されている第一の結合手段と、ユーザーにより調節されることができ、それにより、アンテナがその水平軸の周りの上下／傾斜運動を確実に行えるようにする第二の結合手段とを備え、その特徴は、該第二の結合手段が少なくとも一本のアームを備え、該アームは、その両端のそれぞれが、一方では該マストの上または該マストに固定された手段の上で、他方では、アンテナの上または該アンテナと前記アームとの間に介在する手段の上で、軸旋回する形で連結されており、前記アームの旋回軸はアンテナの上下／傾斜運動の軸と平行であり、マストまたはアンテナのそれぞれの高さにおいて、これらの軸のいずれもまたはいずれかを調節できる手段も備えていることを特徴としている。
【００１２】
好ましくは、特に、これらの手段は中間部材を備え、該中間部材には前記軸がスライドして通れるようなスロットが少なくとも一つある。
【００１３】
特に好ましい実施態様によると、前記中間部材は一つの調節ネジを備え、該ネジは前記スロットに平行に伸び、前記スロット内を移動するのに適した軸を通して設けられた相補的なネジ切り、あるいはねじ切りに固定された部品と協働し、並びに、前記中間部材に対して固定された相補的なネジ切りとも協働する。
【００１４】
また、固定部材に締めつけによって固定される支えを一つ用意してもよく、この固定部材には、一本のマストであり、該マスト上に、アンテナの上下／傾斜運動の軸を規定する手段と、一本または複数本の結合アームの旋回軸を規定する手段とが連結されている。
【００１５】
特に、前記支えは、有利には一つの鍔であり、該鍔は固定のアームによって延長され、該アームの端部に、アンテナまたは該アンテナを支える一つの支えが、水平軸の周りで上下／傾斜運動を行うような形で連結されている。
【００１６】
このような構造は、一つのパネル・アンテナを−特に二帯域を担う一つのアンテナを−ただ一つの固定点でマストに固定することができるという利点を呈する。
【００１７】
３）また、もう一つの面として、本発明が提案する一つの支持構造により、アンテナを強化できると同時に、そのアンテナの後方のローブを抑制することもできる。
【００１８】
本発明において、この目的は、携帯電話通信ネットワークの一つの中継アンテナを構成する、少なくとも一つのパネル・アンテナのための支えによって達成されるが、該支えは、マストと、該マストにこのアンテナの固定を確実にする手段とを備え、この固定手段はアンテナが取り付けられる維持の支えを備えており、この維持の支えが、少なくとも一つの緊定部材と、アンテナと緊定部材との間に介在するアンテナ用の、金属製の反射器を形成する部材を備えていることを特徴とする。
【００１９】
特に、有利に、該緊定部材は断面がＵ字型の小梁である。
【００２０】
４）さらにもう一つの面においては、本発明は、固定手段によりマストに固定されるパネル・タイプのアンテナの傾斜を調節するための工具を提案するが、該工具により、その方向づけの調節が可能になり、以下を含むことを特徴とする。
・剛性の支え
・マスト上の前記支えの固定を可能にするのに適した装置
・前記支えに取り付けられ、二本のアームが連結された、一つのコンパス
【００２１】
この工具は、有利にはコンパスを形成する手段を、支えに対してずらすためのレベル設定手段を備える。
【００２２】
本発明で提案される様々な解決策は、特に簡便であり、費用がかからないという利点を有することが分かるだろう。
【００２３】
さらに、美観の点からも、ここで提案される支えのための様々な解決策は、それらの簡便さにより、アンテナのマストを、その周囲の環境に溶け込ませるという利点もある。
【００２４】
図の説明
本発明の他の特徴及び利点は、以下の説明からさらに明らかとなっていくが、以下の説明は例示的なものであって、限定する趣旨のものではなく、また、以下の添付図面を参照しつつ読むべきものである。
・図１は、マストの一点における固定アンテナの支えの側面の概略図である。
・図２は、図１の支えの傾斜調節手段の細部の斜視図の概略図である。
・図３ａ及び３ｂは、図２に示した調節手段の取り付けに対する、二つの可能な変形を示す。
・図４は、アンテナについての可能な取り付け方の断面の概略図である。
・図５は、アンテナのもう一つの支えについての、図１と同様の概略図である。
・図６は、図５の支えを構成する手段の一部を示す、概略的な斜視図である。
・図７ａ及び７ｂは、図５及び６に示したタイプの支えに取り付けられた二本のアンテナによって実現可能となる、二つの独立した配置形式を示す。
・図８ａ及び８ｂは、図５及び６を参照しつつ説明したタイプの支えによって実現可能な二つの取り付け方法を示す。
・図９は、可能な実施態様に沿った、傾斜角度調節工具の斜視図である。
【００２５】
いくつかの実施態様の説明
単一固定アンテナ
図１に示したマスト１は垂直に伸び、その上にパネル・タイプのアンテナ２は手段３を介して固定される。
【００２６】
この固定手段３により、アンテナ２をただ、ある一点で固定することが可能になる。
【００２７】
該固定手段は鍔あるいは継手４を備え、これらは二つの半鍔で構成され、その二つを互いに閉じ合わせてマスト１の上の締めつけで固定している。
【００２８】
これら二つの半鍔のそれぞれの形は半円筒形で、その半円筒の直径平面の両方向に、両脇の平らな側板５が伸び出ている。この半円筒形の内径は、マスト１の外径にほぼ対応している。側板５に付いているねじ留め手段６によって、該半鍔を互いに維持し、マスト１でのそれらの締め付けを確実なものにしている。
【００２９】
鍔４は、アンテナ２を支える緊定部材を形成する小梁９につながっている。鍔４と小梁９の結合は、以下の介在手段によって実現される。
・一方では、二本のアーム７であり、該アームは鍔４を規定する二つの部材と一体をなし、マスト１の軸に直角に、該鍔から伸びており、その際、小梁９はアーム７の端部で、水平軸７ａの周りを軸旋回するように、それらアーム７の上で連結されている。
・他方では、二本のアーム８であり、該アームは、その両端のうちの一端で、パネル９に直接向かい合う二枚の側板５の両端に、軸旋回する形で連結されており、その旋回は、前記側板に直角な旋回軸１０の周りで行われる。
【００３０】
反対側の端部では、二本のアーム８は軸１１の周りを軸旋回する形で連結されており、該軸は、案内・調節部品１３のスロット内をスライドするように取り付けられており、該案内・調節部品１３はパネル９にネジ留めされている。
【００３１】
図２に示されているように、この案内・調節部品１３は（板金を曲げた）断面がＵ字型の長細い形状を呈し、スロット１２は互いに向かい合って伸び、前記Ｕ型部品の両側縁でいずれも同じ高さにある。
【００３２】
ネジ１４は、前記Ｕ型部品の中を伸びているが、その一方は、軸１１を通して設けられた相補的なネジ切り１５に密着しており、他方は、スロット１２の上または下の前記Ｕ型部品の内部に付けられた部材１６の相補的なネジ切りに密着している。
【００３３】
図３ａ，３ｂは、緊定部材を形成する小梁９に部品１３を固定するための、可能な二つの実施態様を示しており、該小梁９は、部品１３の形状を補完するようにＵ字型の形状を呈している。図３ａの実施態様においては、部品１３は、その底の部分が小梁９の内部に位置するように該小梁９内に嵌め込まれている。図３ｂの実施態様においては、部品１３は、逆方向に配置されており、その底の部分は小梁９の外部に位置している。どちらの場合でも、スロット１２は、小梁９の外側にあけられている。二つの部品１３及び９はネジ留めするか溶接して固定する。
【００３４】
このような固定の構造は、マスト１のところで余りかさばらないという利点を有する。
【００３５】
この構造により、方位や垂直方向の調節と同様に、傾斜の調節もうまくできるようになる。
【００３６】
レベルの調節と垂直方向の調節については、途中でネジ留め手段６を緩めて、鍔４をマスト１の周りで回転させたり、または、鍔を上げたり下げたりすればよい。
【００３７】
方位の調節については、軸１１をスロット１２の中で上げたり下げたりするにつれて、調節ネジ１４を下から回し、パネル９とアンテナ２を一つの方向または他方向に傾ける。
【００３８】
特に注意すべきことに、緊定部材を形成する小梁の構造は、それによってマスト上の固定点のずっと上でアンテナを支えられることの他に、アンテナのすぐ後ろに反射エレメントを組み込むことができ、従って、アンテナの後方のローブを抑制することができるという利点を有する。
【００３９】
小梁９とアンテナ２の間に介在している金属反射エレメント１８を示したのは、図４に図示されている通りである。
【００４０】
全方位的固定
図５及び６は別の構造を示している。この実施態様においては、鍔４の長さは、図１のただ一つの点で固定する変形の長さを大きく上回っており、それを構成する半円筒１９は三つの半鍔２０がマスト１の上に締めつけることで固定していて、該半鍔２０は、鍔の高さの中で分散して配置されており、前記半円筒１９の上で閉じ合わされている。
【００４１】
半円筒１９は足２１を備え、該足は半円筒１９に対して放射状に伸びて、支えを構成し、該支えの上でそれぞれ一つのアンテナを支える様々な小梁９が、垂直軸の周りを軸旋回するように連結されている。
【００４２】
さらに詳細に述べると、図５及び６に示された例においては、半円筒１９が二対の足２１を支えており、該足２１は放射状に伸び、互いに１２０°の角度で隔てられ、同一の対に属する二つの足２１は、一つがもう一つの下になるように配置され、各対の足２１が、緊定部材を構成する小梁９とアンテナ２とを支えている。
【００４３】
一対の足２１に結び付けられた小梁９は、継手２２によって、その下の部分が前記対の下方の足に固定されており、該継手は、一方では小梁が垂直軸２３ａの周りで軸旋回できるようにし、他方ではその小梁９が連結された水平軸２４の周りを上下／傾斜運動できるようにしている。
【００４４】
この小梁９はまた、固定手段を介して、前記対のもう一つの足にも固定されており、該固定手段は、図１の構造物のアーム８、軸１０及び１１、そして案内・調節部品１２に類似の手段があり、それらの手段をここで構成しているのは、アーム２５であり、該アーム２５は、その一端が、水平軸２６の周りを軸旋回するような形で連結されており、その水平軸２６は、調節・案内部品２８のスロット２７の中をスライドし、また、アーム２５のもう一端は、結合部品２９の水平軸３０の周りを軸旋回するように連結されている。
【００４５】
結合部品２９はそれ自体が、垂直軸３１の周りを軸旋回するような形で、前述の足２１に取り付けられている。
【００４６】
このようにして、並置した二つのアンテナを、図７ａ及び７ｂに示したような様々な構成で配置することが可能となる。
【００４７】
図７ａの場合には、同一のマスト１に取り付けられ、そのマストで互いに隣合うように配置された二つのアンテナ２ａ、２ｂは、例えば同一のネットワーク内の二つの異なった方位をカバーするように用いられる。
【００４８】
図７ｂの場合には、その同じ二つのアンテナがそれぞれの旋回軸３１の周りを軸旋回し、同一平面に配置されることにより、例えば、二つの異なったネットワークについての同一の方位をカバーするように、同一のマストでそれらのアンテナを用いることができる。
【００４９】
いずれの場合でも、方向づけの調節、特に傾斜角度と垂直方向の調節は、図１を参照しつつ説明した構造物の場合と同様に実現される。
【００５０】
既に理解されていることと思われるが、この構造物には、かさばりすぎないという利点もある。
【００５１】
さらに、スロットの中をスライドするアームで方向付けの調節を組み立てることは、図１から４や図５から７ａ、７ｂでも示されているが、その利点の一つは、要するに、アンテナの方向付けの調節に、現行技術で行われているような、パネルの後ろからマストに手を入れたりする必要がなく、調節できるという点である。
【００５２】
方向づけの調節は、調節ネジ１４を回して行うが、該調節ネジ１４は、案内のスロットが設けられている部品内に延びている。図２の組み立ての場合には、この調節ネジに手を入れるのは、アンテナの下の空間から行う。
【００５３】
一つまたは複数のアンテナを壁Ｍに固定する場合（図８ａ参照）、そのような組み立てを用いることができるが、該組み立てはまた、マストの代わりに固定部材を構成してもよいし、あるいは、安全障壁Ｐ（図３ｂ参照）のもう一方の側にマストか固定部材を配置する場合には、提案された組み立ては、これらの図の場合にも方向づけの調節が楽に行えるという利点を有する。
【００５４】
図９は、アンテナ固定システム用の傾斜調節用の論理分度器３２の斜視図を示している。該分度器は、連結装置３３によってマスト１に固定された剛性の支え３４を備え、該連結装置３３は、ここではベルト付きのものであるが、例えば磁石式のものであってもよい。この支え３４は、レベル設定平行アーム３６によってコンパスのアーム３５につながれ、該レベル設定平行アームは、支え３４とアーム３５と共に、展開可能な平行六面体を規定している。アーム３７は、軸旋回するようにアーム３５に連結されており、角度測定可能なコンパスを規定している。
【００５５】
ユーザーがコンパスのアームの開きの角度を測定できるように、目盛りづけの手段を準備してもよい。
【００５６】
ユーザーが一つのパネル・アンテナの傾斜角度を調節したり、測定したい場合には、分度器をマストに固定し、レベル設定アームを展開し、外側のアームが緊定部材と隣接するまでコンパスを拡げる。そのようにして、コンパスの開きの角度を読み取ることにより、アンテナの傾きを直接測定することができる。
【国際公開パンフレット】
2004512719.tif 000003
2004512719.tif 000004
2004512719.tif 000005
2004512719.tif 000006
2004512719.tif 000007
2004512719.tif 000008
2004512719.tif 000009
2004512719.tif 000010
2004512719.tif 000011
2004512719.tif 000012
2004512719.tif 000013
2004512719.tif 000014
2004512719.tif 000015
2004512719.tif 000016
2004512719.tif 000017
2004512719.tif 000018
2004512719.tif 000019
2004512719.tif 000020
2004512719.tif 000021
2004512719.tif 000022
2004512719.tif 000023
2004512719.tif 000024
【国際調査報告】
2004512719.tif 000025
2004512719.tif 000026
2004512719.tif 000027
2004512719.tif 000028
2004512719.tif 000029
2004512719.tif 000030